(57)【要約】【課題】平滑用のコンデンサのオープン故障を検出することを可能とした電源故障検出装置を提供する。【解決手段】電源は、高周波でオンオフされるスイッチング素子を含みスイッチング素子のオン時とオフ時とで出力電圧が変動するＤＣ−ＤＣコンバータ１と、ＤＣ−ＤＣコンバータ１の出力電圧を平滑するコンデンサＣ１とを備える。マイクロコンピュータ１０には、熱電対用基準電圧生成部６から基準電圧が入力される。マイクロコンピュータ１０に設けた電源異常判定部１４は、一定の判定期間において熱電対用基準電圧生成部６から出力される基準電圧の最小値と最大値との差を変動幅として求め、変動幅が規定した閾値を越える判定期間が連続して基準回数だけ生じるとコンデンサＣ１のオープン故障と判定する。【選択図】        図１
2005110362.tif 000002
【特許請求の範囲】
【請求項１】
高周波でオンオフされるスイッチング素子を含みスイッチング素子のオン時とオフ時とで出力電圧が変動するＤＣ−ＤＣコンバータと、前記ＤＣ−ＤＣコンバータの出力電圧を平滑するコンデンサとを備える電源の故障を検出する装置であって、規定した一定の判定期間内では変動がないとみなせるアナログ信号を出力し前記コンデンサから供給される電源電圧が出力値に反映されるアナログ信号発生部と、前記判定期間内における前記アナログ信号発生部の出力値の最小値と最大値との差を変動幅として求め変動幅が規定した閾値を越えると前記コンデンサのオープン故障と判定する電源異常判定部とを備えることを特徴とする電源故障検出装置。
【請求項２】
高周波でオンオフされるスイッチング素子を含みスイッチング素子のオン時とオフ時とで出力電圧が変動するＤＣ−ＤＣコンバータと、前記ＤＣ−ＤＣコンバータの出力電圧を平滑するコンデンサとを備える電源の故障を検出する装置であって、規定した一定の判定期間内では変動がないとみなせるアナログ信号を出力し前記コンデンサから供給される電源電圧が出力値に反映されるアナログ信号発生部と、前記判定期間内における前記アナログ信号発生部の出力値の最小値と最大値との差を変動幅として求め変動幅が規定した閾値を越える判定期間が連続して所定の基準回数だけ生じると前記コンデンサのオープン故障と判定する電源異常判定部とを備えることを特徴とする電源故障検出装置。
【請求項３】
前記アナログ信号発生部の出力値をデジタル信号に変換するアナログ−デジタル変換器を備え、前記電源異常判定部は、前記アナログ−デジタル変換器から出力されるデジタル信号を用いて前記アナログ信号に応じた機器制御を行うマイクロコンピュータに実装したプログラムにより実現されていることを特徴とする請求項１または請求項２記載の電源故障検出装置。
【請求項４】
前記アナログ信号発生部はガス機器に設けた熱電対を含み、熱電対の一端が回路グランドに接続されていることを特徴とする請求項１ないし請求項３のいずれか１項に記載の電源故障検出装置。
【発明の詳細な説明】
【技術分野】
【０００１】
本発明は、ＤＣ−ＤＣコンバータおよび平滑用のコンデンサを備える電源においてコンデンサのオープン故障を検出する電源故障検出装置に関するものである。
【背景技術】
【０００２】
従来から、ＤＣ−ＤＣコンバータを備え、ＤＣ−ＤＣコンバータの出力をコンデンサにより平滑する電源が種々の機器において採用されている。たとえば、ガスコンロのようなガス機器においては、種々の安全装置を制御するために電源が必要であって、電池を電源に用い、電池電圧が低下しても内部回路の電源を確保したり内部回路のダイナミックレンジを確保したりするために、昇圧形のＤＣ−ＤＣコンバータを用いて電池電圧を昇圧するようにした電源が用いられる（たとえば、特許文献１参照）。この種のＤＣ−ＤＣコンバータは高周波でオンオフされるスイッチング素子を含んでいるから、内部回路への供給電圧を安定にするために平滑用のコンデンサを備えている。
【特許文献１】特開平１１−９４２５０号公報
【発明の開示】
【発明が解決しようとする課題】
【０００３】
ところで、平滑用のコンデンサは劣化により容量が低下したり、コンデンサが外れたりするオープン故障を生じることがあり、コンデンサにオープン故障が生じると、内部回路に供給される電圧が変動し、安全装置が誤動作するなどの問題を生じる。したがって、平滑用のコンデンサにおけるオープン故障の有無を検出する手段が必要であるが、ＤＣ−ＤＣコンバータおよび平滑用のコンデンサを備える電源において、この種のオープン故障を検出する手段を備えるものが提供されていないのが現状である。
【０００４】
仮に、この種のオープン故障を検出する機能を電源に付加するとすれば、電源の監視のための回路の追加を必要とし、この種の監視機能をマイクロコンピュータによって実現するとしても、マイクロコンピュータ内に監視用のアナログ−デジタル変換器を設ける必要があり、ハードウェアの規模が大きくなるという問題が生じる。
【０００５】
本発明は上記事由に鑑みて為されたものであり、その目的は、平滑用のコンデンサのオープン故障を検出することを可能とした電源故障検出装置を提供することにある。
【課題を解決するための手段】
【０００６】
請求項１の発明は、高周波でオンオフされるスイッチング素子を含みスイッチング素子のオン時とオフ時とで出力電圧が変動するＤＣ−ＤＣコンバータと、前記ＤＣ−ＤＣコンバータの出力電圧を平滑するコンデンサとを備える電源の故障を検出する装置であって、規定した一定の判定期間内では変動がないとみなせるアナログ信号を出力し前記コンデンサから供給される電源電圧が出力値に反映されるアナログ信号発生部と、前記判定期間内における前記アナログ信号発生部の出力値の最小値と最大値との差を変動幅として求め変動幅が規定した閾値を越えると前記コンデンサのオープン故障と判定する電源異常判定部とを備えることを特徴とする。
【０００７】
請求項２の発明は、高周波でオンオフされるスイッチング素子を含みスイッチング素子のオン時とオフ時とで出力電圧が変動するＤＣ−ＤＣコンバータと、前記ＤＣ−ＤＣコンバータの出力電圧を平滑するコンデンサとを備える電源の故障を検出する装置であって、規定した一定の判定期間内では変動がないとみなせるアナログ信号を出力し前記コンデンサから供給される電源電圧が出力値に反映されるアナログ信号発生部と、前記判定期間内における前記アナログ信号発生部の出力値の最小値と最大値との差を変動幅として求め変動幅が規定した閾値を越える判定期間が連続して所定の基準回数だけ生じると前記コンデンサのオープン故障と判定する電源異常判定部とを備えることを特徴とする。
【０００８】
請求項３の発明は、請求項１または請求項２記載の発明において、前記アナログ信号発生部の出力値をデジタル信号に変換するアナログ−デジタル変換器を備え、前記電源異常判定部が、前記アナログ−デジタル変換器から出力されるデジタル信号を用いて前記アナログ信号に応じた機器制御を行うマイクロコンピュータに実装したプログラムにより実現されていることを特徴とする。
【０００９】
請求項４の発明は、請求項１ないし請求項３のいずれか１項に記載の発明において、前記アナログ信号発生部がガス機器に設けた熱電対を含み、熱電対の一端が回路グランドに接続されていることを特徴とする。
【発明の効果】
【００１０】
請求項１の発明は、アナログ信号発生部として、判定期間内では変動がないとみなせるアナログ信号を出力し、かつコンデンサから供給される電源電圧が出力値に反映されるものを用い、電源異常判定部では、判定期間内におけるアナログ信号発生部の出力値の最小値と最大値との差を変動幅として求め、変動幅が規定した閾値を越えると電源電圧を与えるコンデンサのオープン故障と判定するから、コンデンサの容量が低下するいわゆる容量抜けが生じたりコンデンサが外れたりするようなオープン故障が生じたことを、アナログ信号発生部の出力値によって監視することができ、電源電圧を監視することなく電源側の異常を検出することが可能になる。その結果、アナログ信号発生部の出力を用いて動作する装置において、アナログ信号発生部の出力を監視している部分の構成に変更を加える程度でコンデンサのオープン故障を検出することができ、コンデンサのオープン故障を検出する機能を低コストで付加することができる。
【００１１】
請求項２の発明は、アナログ信号発生部として、判定期間内では変動がないとみなせるアナログ信号を出力し、かつコンデンサから供給される電源電圧が出力値に反映されるものを用い、電源異常判定部では、判定期間内におけるアナログ信号発生部の出力値の最小値と最大値との差を変動幅として求め、変動幅が規定した閾値を越える判定期間が連続して所定の基準回数だけ生じるとコンデンサのオープン故障と判定するから、コンデンサの容量が低下するいわゆる容量抜けが生じたりコンデンサが外れたりするようなオープン故障が生じたことを、アナログ信号発生部の出力値によって監視することができ、電源電圧を監視することなく電源側の異常を検出することが可能になる。結果的に、アナログ信号発生部の出力を用いて動作する装置において、アナログ信号発生部の出力を監視している部分の構成に変更を加える程度でコンデンサのオープン故障を検出することができ、コンデンサのオープン故障を検出する機能を低コストで付加することができる。しかも、判定期間内において変動幅が閾値を越えるという条件が１回成立するだけでコンデンサのオープン故障と判定するのではなく、この条件が連続して基準回数だけ成立するまではオープン故障と判断しないから、アナログ信号発生部から出力されるアナログ信号に一過性の大きな変動が生じても誤報を生じることなくコンデンサのオープン故障のみを検出することが可能になる。
【００１２】
請求項３の発明は、アナログ信号発生部の出力値をアナログ−デジタル変換器によりデジタル信号に変換し、アナログ−デジタル変換器から出力されるデジタル信号を用いてアナログ信号に応じた機器制御を行うマイクロコンピュータに実装したプログラムにより電源異常判定部を実現しているから、別途に部品を追加することなく電源異常判定部を構成することができ、部品増加に伴うコストの増加や実装スペースの増加が発生しない。しかも、コンデンサの電圧を監視するのではなくアナログ信号発生部の出力値からコンデンサのオープン故障の有無を判断するから、アナログ信号発生部に対して設けたアナログ−デジタル変換器に対して電源監視用のアナログ−デジタル変換器を別途に設ける必要がなく、マイクロコンピュータのハードウェア規模を大きくすることなくオープン故障を検出することが可能になる。
【００１３】
請求項４の発明は、アナログ信号発生部がガス機器に設けた熱電対を含み、熱電対の一端が回路グランドに接続されているから、ガス機器において点火・消火を監視したり調理物の温度変化を監視したりする目的で用いられている熱電対からの出力電圧に電源電圧が反映され、コンデンサのオープン故障の有無を熱電対の出力電圧によって監視することが可能になる。
【発明を実施するための最良の形態】
【００１４】
以下に説明する実施形態ではグリル付きのガスレンジを想定するが、本発明の技術思想は、ガスオーブン、ガス炊飯器、瞬間湯沸かし機能を有したガス小型給湯器などのガス機器のほか、温度センサや照度センサなどから変動が比較的少ないアナログ信号を受けて動作する種々の機器において適用可能である。また、本実施形態では電源に電池を用いているが、スイッチング素子を備えたＤＣ−ＤＣコンバータを用い、ＤＣ−ＤＣコンバータの出力をコンデンサにより平滑することによって内部回路に電源を供給する形式であれば、ＤＣ−ＤＣコンバータへの入力電源は電池以外であってよく、たとえば商用電源のような交流電源を整流してＤＣ−ＤＣコンバータの入力電源に用いることが可能である。
【００１５】
本実施形態は、図１に示すように、電池Ｂを入力電源とするＤＣ−ＤＣコンバータ１を備え、ＤＣ−ＤＣコンバータ１の出力電圧をコンデンサＣ１で平滑することによって、コンデンサＣ１から内部回路の電源を供給する。ＤＣ−ＤＣコンバータ１は、高周波（１０〜１００ｋＨｚ）でオンオフされるスイッチング素子を含み、スイッチング素子のオンオフを利用して出力電圧を昇圧するとともに出力電圧を一定に保つようにフィードバック制御する構成を採用している。電池Ｂの電圧を昇圧しフィードバック制御を行っているのは、電池Ｂの電圧が寿命の末期において低下しても後段の回路に供給する電圧を維持し、かつ後段の回路への供給電圧を高めることによってダイナミックレンジを確保するためである。
【００１６】
この種のＤＣ−ＤＣコンバータ１としては、スイッチング素子のほかにインダクタおよびダイオードを基本的な構成要素に持つ昇圧形のチョッパ回路、スイッチング素子のほかにトランスとトランスの２次側に設けたダイオードとを基本的な構成要素に持つフライバック形のコンバータ、スイッチング素子を自励式にオンオフさせるＲＣＣ回路、スイッチング素子とキャパシタとからなるスイッチトキャパシタにより電荷を汲み上げるチャージポンプ回路などが知られている。いずれの構成もスイッチング素子を高周波でオンオフさせることによって出力電圧を入力電圧よりも昇圧するものであって、適正容量のコンデンサＣ１が存在しない場合には、ＤＣ−ＤＣコンバータ１の出力は図２（ｂ）のように、スイッチング素子のオンオフに同期して電圧が変動する波形になる。なお、図２（ｂ）ではＤＣ−ＤＣコンバータ１の出力電圧が鋸歯状波形になっているが、ＤＣ−ＤＣコンバータ１の構成によって波形は異なるものであり、上述した構成のＤＣ−ＤＣコンバータ１ではスイッチング素子のオンオフに同期して出力電圧が変動する波形になるものの必ずしも鋸歯状波形になるわけではない。
【００１７】
上述のように、ＤＣ−ＤＣコンバータ１の出力電圧がスイッチング素子のオンオフに同期して変動するから、コンデンサＣ１を設けることによってＤＣ−ＤＣコンバータ１の出力電圧を平滑するのであり、コンデンサＣ１の容量が適正であれば図２（ａ）のようにコンデンサＣ１の両端電圧が略一定になる。本実施形態では、ＤＣ−ＤＣコンバータ１とコンデンサＣ１の負極との接続点を回路グランドに接続している。
【００１８】
ところで、ガスレンジは、複数個のコンロを備えるとともにグリルを備える。コンロとグリルとには、それぞれ炎を検出するための熱電対２ａ，２ｂが設けられ、バーナの点火後に炎が立ち消えして熱電対２ａ，２ｂによる熱起電力が低下したときには、燃料ガスの供給路に挿入された安全弁としての電磁弁３を遮断する。つまり、本実施形態では電磁弁３が制御対象の機器になる。図には炎の立ち消えを検出する熱電対２ａ，２ｂを示しているが、グリルの庫内温度を検出する熱電対などを設けてもよい。熱電対２ａ，２ｂにおいて正電圧を出力する一端は回路グランドに接続される。
【００１９】
さらに、熱電対２ａ，２ｂの出力を監視して電磁弁３を制御するために、マイクロコンピュータ（以下、マイコンと略称する）１０を備える。各熱電対２ａ，２ｂの出力は、選択スイッチとしての機能を有した標準バーナ熱電対入力部４ａとグリルバーナ熱電対入力部４ｂとにそれぞれ入力され、標準バーナ熱電対入力部４ａとグリルバーナ熱電対入力部４ｂとの出力は増幅器５により増幅された後にマイコン１０に入力される。増幅器５には、熱電対用基準電圧生成部６から出力される一定の基準電圧も入力される。熱電対用基準電圧生成部６は、標準バーナ熱電対入力部４ａおよびグリルバーナ熱電対入力部４ｂと同様に選択スイッチとしての機能を備える。
【００２０】
標準バーナ熱電対入力部４ａとグリルバーナ熱電対入力部４ｂと熱電対用基準電圧生成部６との各出力のうちのいずれを増幅器５で増幅するかは、マイコン１０から出力される選択信号によって選択される。つまり、標準バーナ熱電対入力部４ａとグリルバーナ熱電対入力部４ｂと熱電対用基準電圧生成部６とは、いずれもマイコン１０からの選択信号に応じて増幅器５に出力を与えるか否かを選択する選択スイッチとして機能し、選択信号で選択された出力のみが択一的に増幅器５に入力される。
【００２１】
選択信号はマイコン１０に設けた入力選択部１１から標準バーナ熱電対入力部４ａとグリルバーナ熱電対入力部４ｂと熱電対用基準電圧生成部６とのいずれかに択一的に与えられる。ここに、入力選択部１１では標準バーナ熱電対入力部４ａとグリルバーナ熱電対入力部４ｂと熱電対用基準電圧生成部６との出力が増幅器５に一定の切換時間ごとに択一的かつ循環的に入力されるように選択信号を生成する。ところで、増幅器５の出力はマイコン１０に内蔵したアナログ−デジタル変換器（以下、Ａ／Ｄ変換器と略称する）１２においてデジタル信号に変換される。つまり、熱電対２ａ，２ｂ、標準バーナ熱電対入力部４ａ、グリルバーナ熱電対入力部４ｂ、増幅器５、熱電対用基準電圧生成部６により構成されるアナログ信号発生部からのアナログ信号の出力を、Ａ／Ｄ変換器１２においてデジタル信号に変換するのである。
【００２２】
Ａ／Ｄ変換器１２の出力は燃焼状態判定部１３と電源異常判定部１４とに入力され、入力選択部１１からの選択信号の出力毎におけるＡ／Ｄ変換器１２の出力値が燃焼状態判定部１３と電源異常判定部１４とに一時的に記憶される。燃焼状態判定部１３および電源異常判定部１４では、各熱電対２ａ，２ｂに対応するデジタル信号の信号値を熱電対用基準電圧生成部６に対応するデジタル信号の信号値から減算する演算を行い、減算結果を各熱電対２ａ，２ｂでの検出温度に対応するデータとして採用する。この構成を採用した理由は、増幅器５は演算増幅器を用いて構成されておりオフセット電圧があるが、上述の減算に用いるデジタル信号が同じ増幅器５を通して得られ、減算時にオフセット電圧が除去されるからである。
【００２３】
燃焼状態判定部１３および電源異常判定部１４には、Ａ／Ｄ変換器１２から入力されるデジタル信号が熱電対２ａ，２ｂに対応するものか熱電対用基準電圧生成部６に対応するものかを識別できるように、入力選択部１１からの選択信号に対応した指定信号が入力されている。したがって、燃焼状態判定部１３および電源異常判定部１４では、入力されているデジタル信号が選択信号により選択されたアナログ信号に対応するものであることを認識することが可能になる。
【００２４】
燃焼状態判定部１３は、熱電対２ａ，２ｂでの検出温度に基づいて電磁弁３の開閉を制御する機能を有し、バーナの点火後において熱電対２ａ，２ｂでの検出温度が設定した温度以下になると炎が立ち消えしたと判断し、燃焼制御部１５に停止信号を発生させるように指示を与え、停止信号から電磁弁３の駆動電圧に変換するための弁駆動部８を介して電磁弁３を遮断させる。電磁弁３の遮断時には報知部７によって使用者に遮断を報知する。報知部７は圧電ブザーによる聴覚的報知と発光ダイオードによる視覚的報知との少なくとも一方を行う。なお、マイコン１０の内部に設けた入力選択部１１、燃焼状態判定部１３、電源異常判定部１４、燃焼制御部１５はマイコン１０に実装した適宜のプログラムでマイコン１０を動作させることにより実現される。
【００２５】
ところで、アナログ信号発生部はＤＣ−ＤＣコンバータ１から電源が供給されているから、コンデンサＣ１に容量抜けが生じたりコンデンサＣ１が外れたりするオープン故障が生じると、増幅器５を通してＡ／Ｄ変換器１２に入力されるアナログ信号の信号値がＤＣ−ＤＣコンバータ１の出力電圧の変動に伴って変動することになる。一方、コンデンサＣ１に上述のようなオープン故障がない正常時には、アナログ信号の時間変化は比較的小さく、とくに、熱電対用基準電圧生成部６の出力電圧は正常時には実質的な変動を生じない。
【００２６】
本実施形態では、コンデンサＣ１のオープン故障時においてはＡ／Ｄ変換器１２に入力されるアナログ信号の信号値にスイッチング素子のオンオフに同期した変動が生じるのに対して、正常時には比較的短い時間ではアナログ信号が変動しないことを利用することによって、コンデンサＣ１が正常かオープン故障かを判定する構成を採用している。つまり、電源異常判定部１４はコンデンサＣ１について上述のようなオープン故障の有無を判定するのであって、Ａ／Ｄ変換器１２から入力されたデジタル信号の信号値の変動の有無を判定し、コンデンサＣ１のオープン故障による変動が検出されると燃焼制御部１５および弁駆動部８を通して電磁弁３を遮断させる。
【００２７】
以下に、デジタル信号の信号値の変動の有無を判定する技術について説明する。本実施形態では、正常時において変動がないとみなせオープン故障時においてＤＣ−ＤＣコンバータ１の出力電圧の変動に伴って変動するアナログ信号を発生するために、熱電対用基準電圧生成部６の出力電圧を採用する。上述のように、熱電対用基準電圧生成部６の出力電圧は、実質的に変動しないが、ＤＣ−ＤＣコンバータ１の出力を分圧することによって基準電圧を得ているから、ＤＣ−ＤＣコンバータ１の出力電圧がスイッチング素子のオンオフに同期して変動すれば、熱電対用基準電圧生成部６の出力電圧もスイッチング素子のオンオフに同期して変動することになる。
【００２８】
このような変動を検出するために、本実施形態では、電源異常判定部１４において、一定時間である判定期間を設定してあり、判定期間内において熱電対用基準電圧６に対応するデジタル信号の信号値の最大値と最小値との差を変動幅として求めている。判定期間は入力選択部１１から出力される選択信号の切換時間よりも十分に長い時間であって、たとえば１０秒に設定される。熱電対用基準電圧生成部６の出力は、正常な動作であれば判定期間において変動することはないが、コンデンサＣ１に容量抜けが生じたりコンデンサＣ１が外れたりするオープン故障が生じると、熱電対用基準電圧生成部６の出力電圧はスイッチング素子のオンオフに同期して変動する。したがって、切換時間を変動周期（０．０００１〜０．００００１秒）の整数倍にならないように設定し、かつ判定期間を切換時間よりも十分に長く設定しておけば、判定期間内においてＡ／Ｄ変換部１２に入力されるアナログ信号は、熱電対用基準電圧生成部６の出力電圧の変動を反映する。つまり、熱電対用基準電圧生成部６の出力に変動があれば、判定期間内において熱電対用基準電圧生成部６に対応するＡ／Ｄ変換器１２の出力として得られるデジタル信号の信号値の最大値と最小値との差である変動幅は、ＤＣ−ＤＣコンバータ１の出力電圧の変動幅を反映する。
【００２９】
そこで、電源異常判定部１４では、図３に示すように、まず熱電対用基準電圧生成部６の選択毎の出力値から判定期間における最大値と最小値とを記憶し（Ｓ１）、熱電対用基準電圧生成部６の選択毎に最大値と最小値との差である変動幅を規定した閾値Ｔｈ１と比較し、変動幅が閾値Ｔｈ１以上であれば、コンデンサＣ１にオープン故障の可能性があると判断する（Ｓ２）。ただし、変動幅が閾値Ｔｈ１以上であってもノイズなどによる単発的ないし一過性の変動である可能性があるから、バーナの点火から消火までの期間において、変動幅が閾値Ｔｈ１以上になる判定期間が連続して基準回数Ｔｈ２だけ生じると、コンデンサＣ１のオープン故障の発生と確定する（Ｓ３）。ここに、基準回数Ｔｈ２は一過性の変動を除去できればよいから、たとえば３回に設定する。このようにコンデンサＣ１のオープン故障と確定すると、ＤＣ−ＤＣコンバータ１の出力電圧の変動が原因であると判断し、電磁弁３を遮断するとともに報知部７により使用者に報知するのである（Ｓ４）。
【００３０】
図３に示した動作では、判定期間における最大値と最小値との差である変動幅を閾値Ｔｈ１と比較し、さらに変動幅が閾値Ｔｈ１を越える判定期間が連続して基準回数Ｔｈ２生じたときにコンデンサＣ１のオープン故障と確定しているが、一過性のノイズに対してオープン故障と判断すると誤報ではあっても安全側の動作になるから、判定期間における変動幅が閾値Ｔｈ１以上になった時点でコンデンサＣ１にオープン故障が生じたと確定するようにしてもよい。
【図面の簡単な説明】
【００３１】
【図１】実施形態を示すブロック図である。
【図２】同上の動作説明図である。
【図３】同上に用いる電源異常判定部の動作説明図である。
【符号の説明】
【００３２】
１  ＤＣ−ＤＣコンバータ
２ａ，２ｂ  熱電対
４ａ  標準バーナ熱電対入力部
４ｂ  グリルバーナ熱電対入力部
５  増幅器
６  熱電対用基準電圧生成部
１０  マイクロコンピュータ
１１  入力選択部
１２  アナログ−デジタル変換部
１４  電源異常判定部
Ｂ  電池
Ｃ１  コンデンサ
【図１】
2005110362.tif 000003
【図２】
2005110362.tif 000004
【図３】
2005110362.tif 000005